(57)【要約】【課題】曲面を有する本体前面のカラー展開を容易にし、外観デザイン的に優れたドラム式洗濯乾燥機を提供する。【解決手段】前部枠体６の左右両壁部５０、５１及び前面部の一部を前方から覆う一対の左右枠体５３、５４を有し、この左右枠体の前面部５５、５６には、前記前部枠体と前後方向に係止する複数個の係止部Ａ５７、５８を設け、かつこの左右枠体の側壁部５９、６０には、前記前部枠体と左右方向に係止する複数個の係止部Ｂ６１、６２を設けて本体を構成したことで本体構造の強度面、複雑デザイン面の対応を可能にする。【選択図】図３
2007111162.tif 000002
【特許請求の範囲】
【請求項１】
本体の前方に配設され、前方に開口部を有する前部枠体と、この前部枠体の左右両壁部及び前面部の一部を前方から覆う一対の左右枠体を有し、この左右枠体の前面部には、前記前部枠体と前後方向に係止する複数個の係止部を設け、かつこの左右枠体の側壁部には、前記前部枠体と左右方向に係止する複数個の係止部を設けたドラム式洗濯乾燥機。
【請求項２】
前記左右枠体の側壁部には、前記前部枠体と前後方向に係止する係止部を、前記左右方向に係止する係止部の間に設けた請求項１に記載のドラム式洗濯乾燥機。
【請求項３】
前記左右枠体の前面部には、本体内側に延出した壁部を設け、前記前部枠体にはこの壁部に対応した溝部を設け、この壁部、溝部に前後方向に係止する係止部を設けた請求項１または２に記載のドラム式洗濯乾燥機。
【発明の詳細な説明】
【技術分野】
【０００１】
本発明は、水平方向もしくは水平方向から傾斜した方向に回転自在に支持された回転ドラム内で洗濯、すすぎ、脱水、乾燥の各工程を行うドラム式洗濯乾燥機の特に枠体構造に関するものである。
【背景技術】
【０００２】
従来この種のドラム式洗濯乾燥機の構造例を図５に示す。図示するように本体１０１内にサスペンション構造１０９により垂下防振支持された水槽１０２内に周囲に多数の小孔１１０を形成し、かつ内周部に撹拌用の突起１０７を有する回転ドラム１０３が回転自在に配設され本体１０１の正面側に開閉自在に設けられた扉体１０５を開くことにより水槽１０２の正面開口部１０２ａ、および回転ドラム１０３の正面開口１０３ａを通して洗濯物を回転ドラム１０３内に出し入れできる構成になっている。また、水槽１０２の内部下方には洗濯水を高温に加熱して高温洗浄を行うヒータ１０８を、外底部には駆動モータ１０４を構成している。
【０００３】
上記構成においてその動作を説明する。
【０００４】
扉体１０５を開き回転ドラム１０３内に洗濯物および洗剤を投入し給水装置１０６から水槽１０２および回転ドラム１０３内に所定の水量が給水されると、駆動モータ１０４にて回転ドラムは内部の衣類を回転方向に持ち上げ適当な高さから落下させるいわゆるたたき洗い動作を行う。このとき洗浄効果を高める為、ヒータ１０８にて洗濯水を加熱する運転コースが選択できる。洗濯行程終了後、同様の動作ですすぎ行程を実施した後、水槽１０２の洗濯水を排水し脱水行程になると回転ドラム１０３は駆動モータ１０４により高速回転し遠心脱水を行う。
【０００５】
上記従来例では洗濯、すすぎ、脱水の一連の行程を説明したが、さらに同じ回転ドラム１０３内で衣類の乾燥を行うことも出来る。回転する回転ドラム１０３から排出された高温多湿の排気風を除湿用熱交換器（図示せず）に導き、外部冷却空気との熱交換等で水分を凝縮させて衣類の乾燥をさせる（例えば特許文献１参照）。
【特許文献１】特開２０００−９３６９７号公報
【発明の開示】
【発明が解決しようとする課題】
【０００６】
しかしながら、このようなドラム式洗濯乾燥機では、洗濯時高温洗濯を運転させた場合、水槽１０２は高温となり本体１０１もまた高温にさらされながら、洗濯水を給水された水槽１０２の重量を支えねばならない。脱水時は、高速回転する回転ドラム１０３の振動をサスペンション１０９を介して防振支持しなければならない。さらに乾燥工程も同様水槽１０２および熱交換装置（図示せず）まわりは高温となり、本体１０１に強い熱ストレスが加わる。
【０００７】
以上の様に、洗濯、脱水、乾燥の各行程で本体１０１に機械的、熱的に加わるストレス（応力）に耐える為、本体１０１の構造は堅固なものを要求され、比較的厚みのある鋼板等で強固な箱体のような構成が一般的であった。特に本体１０１の前面部には扉体１０５を構成するための比較的径大の開口部を形成しており、特に前面部は強固な構成が必要であった。
【０００８】
しかし住環境の変化、回転軸が傾斜した斜めドラム式洗濯機の登場、カラフルなデザインの要望、等多様化する洗濯乾燥機に対する要望に対し、本体１０１は、その形状、操作性、色彩の変化への対応がなされていないという課題があった。特に形状が複雑な曲面を求められるデザインになると鋼板加工では対応できないので、プラスチック材の成形加工部材の使用が強く求められ、それに対応する強度上の解決すべき課題があった。
【０００９】
本発明は前記従来の課題を解決するもので、外観デザイン的や使い勝手に優れ、脱水時の振動、洗濯や乾燥運転時の温度上昇にも耐えられる確実な構成が可能なドラム式洗濯乾燥機の枠体を提供することにある。
【課題を解決するための手段】
【００１０】
前記従来の課題を解決するため本発明は、本体の前方に配設され、前方に開口部を有する前部枠体と、この前部枠体の左右両壁部及び前面部の一部を前方から覆う一対の左右枠体を有し、この左右枠体の前面部には、前記前部枠体と前後方向に係止する複数個の係止部を設け、かつこの左右枠体の側壁部には、前記前部枠体と左右方向に係止する複数個の係止部を設けたものである。
【００１１】
上記構成によれば、左右枠体が前部枠体と別部品で構成されている為、特に強度を必要とする場合には、枠体をより強固な材料にて構成することにより、箱形状の本体前面の両角隅の支柱の働きをなす。また材質を変えて塗装可能なものにすれば、より鮮やかなカラー展開も容易にできる。さらにビス締結なしで前部枠体に確実に固定できるので、組立性を容易にするとともに、脱水運転時の振動や洗濯、乾燥運転時の温度上昇にも耐えられるものとなる。
【発明の効果】
【００１２】
本発明のドラム式洗濯乾燥機は、組立性を容易にするとともに、脱水運転時の振動や洗濯、乾燥運転時の温度上昇にも耐えられ、外観デザイン性を向上させたドラム式洗濯乾燥機の枠体を提供することができる。
【発明を実施するための最良の形態】
【００１３】
第１の発明は、体の前方に配設され、前方に開口部を有する前部枠体と、この前部枠体の左右両壁部及び前面部の一部を前方から覆う一対の左右枠体を有し、この左右枠体の前面部には、前記前部枠体と前後方向に係止する複数個の係止部を設け、かつこの左右枠体の側壁部には、前記前部枠体と左右方向に係止する複数個の係止部を設けた。
【００１４】
この構成により本体の一部である前部枠体の前面の両角隅部分の強度を補いつつ、プラスチック加工材等の使用を可能にし、多様化したデザインに対応ができると共に、ビス締結の無い構成のため、組み立ての容易性が図れる。
【００１５】
第２の発明は左右枠体の側壁部には、前記前部枠体と前後方向に係止する係止部を、前記左右方向に係止する係止部の間に設けた。
【００１６】
この構成によれば、左右枠体の側壁部が前方に浮くことを防止でき前部枠体との嵌合がさらに確実となり熱応力に耐える事が出来る。
【００１７】
第３の発明は左右枠体の前面部には、本体内側に延出した壁部を設け、前記前部枠体にはこの壁部に対応した溝部を設け、この壁部、溝部に前後方向に係止する係止部を設けた。
【００１８】
この構成によれば、壁部を設けることで左右枠体の強度が増して前部枠体との嵌合が確実になるとともに、プラスチック加工材の成型後の径時変化による歪や、熱応力による変形を吸収できるので、前部枠体との嵌合部の隙間、段差を小さくでき外観的にすぐれたものになる。
【００１９】
以下本発明に実施の形態について、図面を参照しながら説明する。なおこの実施の形態によって本発明が限定されるものではない。
【００２０】
（実施の形態）
図１は本発明の実施に形態におけるドラム式洗濯乾燥機の縦断面図であり、図２は同ドラム式洗濯乾燥機の外観図、図３は同ドラム式洗濯乾燥機の要部分解斜視図、図４（ａ）は同ドラム式洗濯乾燥機の係止部Ａの要部断面図、（ｂ）は同ドラム式洗濯乾燥機の係止部Ｃの要部断面図、である。
【００２１】
以下図１、２、３、４に従ってその構成を説明する。
【００２２】
図１において、本体１内にサスペンション構造５によって水槽３が防振支持して配設され、前記水槽３内に有底円筒形に形成された回転ドラム２がその軸心方向を正面側から背面側に向けて下向きに傾斜させて配設されている。
【００２３】
前記水槽３の正面側には回転ドラム２の開口端に通じる衣類出入口１１が形成され、本体１の前面を構成する断面が略円弧の曲面を有する前部枠体６の前方に形成された上向き傾斜面に設けられた開口部２３を開閉可能に閉じる扉９を開くことにより、前記衣類出入口１１を通じて回転ドラム２内に対して洗濯物を出し入れすることができる。
【００２４】
扉９が上向き傾斜面に設けられているため、洗濯物を出し入れする作業では腰を屈めることなく実施でき、一般には横向きにある開口部から洗濯物を出し入れするドラム式洗濯機の作業性の悪さが改善されているが、枠体６は曲面形状に形成して前記使い易さに対応している。前部枠体６の上部中央には、操作表示部２０が配置され、希望する運転内容を設定したり、運転スタート、一時停止を行い、運転の進行状態を認識することができる。
【００２５】
図２は外観図であり、傾斜した回転軸の回転ドラム２や、上向き操作表示部２０に対応して前面枠体６は、既述のように略円弧状の曲面を有するように構成され、かつ中央部には扉９に対応して開口が形成される為、強度が低下しがちになるのを両側の左右枠体５３、５４がその強度を補う構成としている。
【００２６】
図３において、前部枠体６の左右両壁部５０、５１及び前面部５２の一部は、断面が略Ｌ字型の一対の左右枠体５３、５４によって前方から覆われる。図４に左右枠体が取り付けられた断面図を示すように、左右枠体５３、５４の前面部５５、５６には、前部枠体６と前後方向に係止する複数個のＬ字状の係止部Ａ５７、５８が設けられ、左右枠体５３、５４の側壁部５９、６０には、前部枠体６と左右方向に係止する複数個の係止部Ｂ６１、６２を設けている。また左右枠体５３、５４の側壁部５９、６０には、前部枠体６と前後方向に係止する複数個の先端がL 字状の係止部Ｃ６３、６４を、係止部Ｂ６１、６２の間に配置するように設けてある。例えば右側面でみると、図３に示すように前部枠体６の下部から上部に向かって係止部Ｂ６１、係止部Ｃ６３、係止部Ｂ６１、係止部Ｃ６３のように交互に設けられる。
【００２７】
上記構成によれば、左右枠体５３、５４が前部枠体６とは別部材で構成されている為、
この左右枠体を強度の有する材質で構成すれば、前部枠体６を補強しつつ、それぞれ色を変えてカラフルにでき外観デザイン的に高級感を出すことも出来る。
【００２８】
また前部枠体と左右枠体の材質を変えて、例えば体積の少ない左右枠体の材質を塗装可能で強度があり、加工後の変形や歪の少ないＡＢＳ樹脂やアルミダイカストなどにすれば、体積の大きい前部枠体は安価なＰＰ樹脂を使ってコストをあまりかけないでより鮮やかな色も出せる。またいろいろな色を使ったカラー展開も容易に可能となる。
【００２９】
図３では、前部枠体６の下方に下部枠体７０があり、下部枠体の両端には、下部左右枠体７１、７２が設けられているが、修理時などの作業性を向上させる為に前部枠体６と分割しているのであり、前部枠体６が一体で下まで延設させ下部枠体７０と一体化したり、同様に左右枠体５３、５４も下まで延設させ下部枠体７１、７２と一体に構成すこともできる。本構成の要点は本体前面の上から下まで左右両端が別部品で構成され、例えば色を変えるなどで外観デザイン的なインパクトを発揮しつつ、前部枠体６との組合せにより本体としての強度を確保するということにある。
【００３０】
脱水運転中には本体１から振動が伝わり、左右枠体５３、５４と前部枠体６の嵌合に僅かでも間隙があると振動音が発生する恐れがある。また乾燥運転中には本体１が熱応力を受けると、左右枠体５３、５４の温度も上昇するので、左右枠体と前部枠体の嵌合強度が充分でないと嵌合部に緩みを発生したり、嵌合部の隙間、段差が大きくなり外観的に支障をきたすおそれがある。
【００３１】
そこで左右枠体の前面部５５、５６には、係止部Ａ５７、５８を設けて前部枠体６の前面部との強い嵌合により前後方向の浮き防止を図り、側壁部５９、６０は係止部Ｂ６１、６２で開き防止を図るとともに、係止部Ｃ６３、６４で端部の浮きあがりの防止を図っている。
【００３２】
以上のように左右枠体５５、５６の前部枠体６への嵌合を確実なものとし、脱水振動、乾燥時の温度上昇にも耐えられる左右枠体５５、５６の組み立て構成にしていると同時に、ビス締結なしで前部枠体６に確実に固定できるので、自動化を含め組立性の向上が図れる。
【００３３】
また、左右枠体５３、５４の前面部５５、５６には、本体１の内側に延出した壁部６５、６６を設け、前部枠体６にはこの壁部に対応した溝部６７、６８を設け、前後方向には既述の複数個の係止部Ａ５７、５８が設けられている。この構成によれば、壁部を設けることで左右枠体５３、５４自体の強度が増すとともに、溝部に６７、６８に壁部６５、６６がはまり込むことで左右方向の外力に対して強固なものとなり、前部枠体との嵌合がさらに確実になるとともに、プラスチック成形加工で構成された場合の径時変化による歪や、熱応力による変形を吸収できるので前部枠体との嵌合部の隙間、段差を小さくでき外観的にすぐれたものになる。
【産業上の利用可能性】
【００３４】
以上のように本発明にかかるドラム式洗濯乾燥機の枠体構造は、強度のある材料を効果的に使用し、多様化するデザインに対応し、カラー展開しやすい構成を、組立性も向上させて実現したもので、脱水運転時の振動や洗濯や乾燥運転時の温度上昇にも耐える構成が可能となるので、乾燥機能の付いていないドラム式洗濯機を含めて、同様の機器にも有用である。
【図面の簡単な説明】
【００３５】
【図１】本発明の実施形態に係るドラム式洗濯乾燥機の縦断面図
【図２】同ドラム式洗濯乾燥機の外観図
【図３】同ドラム式洗濯乾燥機の要部分解斜視図
【図４】（ａ）同ドラム式洗濯乾燥機の係止部Ａの要部断面図、（ｂ）同ドラム式洗濯乾燥機の係止部Ｃの要部断面図
【図５】従来のドラム式洗濯乾燥機の縦断面図
【符号の説明】
【００３６】
１    本体
２    回転ドラム
３    水槽
６    前部枠体
２０  操作表示部
２３  開口部
５０、５１  左右両壁部
５３、５４  左右枠体
５７、５８  係止部Ａ
６１、６２  係止部Ｂ
６３、６４  係止部Ｃ
６５、６６  壁部
６７、６８  溝部
【図１】
2007111162.tif 000003
【図２】
2007111162.tif 000004
【図３】
2007111162.tif 000005
【図４】
2007111162.tif 000006
【図５】
2007111162.tif 000007